(57)【要約】【課題】光源の数や配置間隔を容易に変更することができる光源保持部材、光源ユニットおよび表示装置を提供すること。【解決手段】第一の光源保持部材１ａを略棒状に形成するとともに、光源５１を保持できる光源保持部として、光源保持バンド３を係止可能な係止孔１１を、その長手方向に沿って光源５１の外径以下の間隔で連続的に形成する。【選択図】図２
2008084727.tif 000002
【特許請求の範囲】
【請求項１】
複数の線状の光源を保持できる光源保持部材であって、略棒状に形成されるとともに、前記線状の光源を保持できる複数の光源保持部が前記線状の光源の外径以下の間隔で長手方向に沿って連続的に設けられることを特徴とする光源保持部材。
【請求項２】
前記光源保持部には、前記線状の光源を保持する保持バンドを係止可能な係止孔が形成されることを特徴とする請求項１に記載の光源保持部材。
【請求項３】
前記光源保持部には、前記線状の光源の外周面に係合可能な係合凹部が形成されることを特徴とする請求項１または請求項２に記載の光源保持部材。
【請求項４】
前記光源保持部には、前記線状の光源の外周面に係合可能な係合突起が形成されることを特徴とする請求項１または請求項２に記載の光源保持部材。
【請求項５】
前記保持部材には、前記線状の光源の外周に弾発的に係止可能な係止片が形成されることを特徴とする請求項１に記載の光源保持部材。
【請求項６】
前記光源保持部は樹脂からなることを特徴とする請求項１から請求項５のいずれかに記載の光源保持部材。
【請求項７】
前記光源保持部は金属からなることを特徴とする請求項１から請求項５のいずれかに記載の光源保持部材。
【請求項８】
前記光源保持部は、略白色、略乳白色または略透明であることを特徴とする請求項１から請求項７のいずれかに記載の光源保持部材。
【請求項９】
底面を有するシャーシと、該シャーシの底面に装着される請求項１から請求項８のいずれかに記載の光源保持部材と、複数の線状の光源と、を備え、前記線状の光源がそれらの長手方向が前記光源保持部材の長手方向に略直角方向を向いて配置されるとともに、前記各線状の光源が前記光源保持部材の保持部において保持されることを特徴とする表示装置用の光源ユニット。
【請求項１０】
前記シャーシは底面から起立する一対の側壁をさらに有し、該一対の側壁には前記光源保持部材の長手方向端部を係合可能な係合凹部が形成され、前記光源保持部材の長手方向端部は前記一対の側壁に形成される係合凹部に係合していることを特徴とする請求項９に記載の光源ユニット。
【請求項１１】
前記一対の側壁には複数の凹部が形成され、前記光源保持部材の長手方向端部は前記複数の凹部のいずれかに択一的に係合していることを特徴とする請求項１０に記載の光源ユニット。
【請求項１２】
前記一対の側壁の側壁には、長溝状の凹部が形成され、前記光源保持部材の長手方向端部は前記長溝状の凹部に係合しているとともに、前記光源保持部材は前記長溝に沿って移動可能であることを特徴とする請求項９に記載の光源ユニット。
【請求項１３】
表示パネルと、請求項９から請求項１２のいずれかに記載の表示装置用の光源ユニットと、を備えることを特徴とする表示装置。
【請求項１４】
前記表示パネルは液晶表示装置であることを特徴とする請求項１３に記載の表示装置。
【発明の詳細な説明】
【技術分野】
【０００１】
本発明は、光源保持部材、光源ユニットおよび表示装置に関するものであり、詳しくは、表示装置または表示装置用の光源ユニットに組み込まれる光源を保持する光源保持部材、この光源保持部材を用いた光源ユニットおよび表示装置に関するものである。
【背景技術】
【０００２】
透過型の液晶パネルなどといった非自発光型の表示パネルを備える表示装置には、表示パネルの背面側に光源が配設される構成や、光源が組み込まれた光源ユニットが配設される構成を備えるものがある。このような表示装置または表示装置用の光源ユニットに組み込まれる光源としては、たとえば略直線形状や略Ｕ字形状の蛍光管が広く用いられている。そして光源を光源クリップによって保持する構成が広く用いられている。
【０００３】
図１９は、光源として複数の蛍光管が組み込まれた表示装置用の光源ユニット９の構成の従来例を模式的に示した分解斜視図であり、光源９２の保持に光源クリップ９１を用いる例を示す。図１９に示すようにこの表示装置用の光源ユニット９は、光源クリップ９１と、複数の光源９２と、シャーシ９３と、その他の所定の部材とを備える。光源クリップ９１は光源９２の管体を挟持可能なクリップと、シャーシ９３に係止するためのアンカー（図略）とを備える。
【０００４】
シャーシ９３の面内には所定の位置に貫通孔（図略）が形成されており、これらの貫通孔に光源クリップ９１のアンカーを係止させることにより、光源クリップ９１をシャーシ９３に固定することができる。
【０００５】
そして、各光源９２の管体を、シャーシ９３の面内に固定された光源クリップ９１により把持する。これにより、シャーシ９３の面内の所定の位置に各光源９２を配置することができる。
【０００６】
このような光源クリップ９１を用いる構成は、次のような問題点を有する。
【０００７】
シャーシ９３の前面に配置される光源９２の数や間隔は、光源ユニットの機種によって異なることがある。たとえば近ごろは、光源９２を等間隔に配置する構成のほか、光源９２を不等間隔に配置する構成が用いられるようになってきている。シャーシ９３に貫通孔を形成して光源クリップ９１を固定する構成であると、機種によって貫通孔の数や位置が異なることがあるため、機種ごとにシャーシ９３を設計する必要がある。このため、シャーシ９３の共通化を図ることが困難である。
【０００８】
また、光源９２の数や配置間隔を変更する場合には、シャーシ９３の設計を変更する必要がある。たとえばシャーシ９３を金属の板材のプレス加工により形成する構成では、プレス用の金型を変更する必要があり、設計変更に多大の費用を要する。また、設計変更にただちに対応することが困難である。特に光源ユニットの設計段階や試作段階においては、光源９２の数や配置間隔を決定するために、実際に種々変更して検討することがある。しかしながら前記理由により、試作段階における検討結果を最終的な製品に反映させることが困難となる場合がある。
【０００９】
【特許文献１】特開２００４−３４８１５０号公報
【特許文献２】特開２００４−５５５３１号公報
【発明の開示】
【発明が解決しようとする課題】
【００１０】
上記実情に鑑み本発明は、光源の数や配置間隔を容易に変更することができる光源保持部材、光源ユニットおよび表示装置を提供すること、または光源の数や間隔が異なる構成において、シャーシの共通化を図ることができる光源保持部材、光源ユニットおよび表示装置を提供することである。
【課題を解決するための手段】
【００１１】
前記課題を解決するため本発明は、光源保持部材を略棒状に形成するとともに、線状の光源を保持できる複数の光源保持部を、光源保持部材の長手方向に沿って前記線状の光源の外径以下の間隔で連続的に形成することを要旨とするものである。各「光源保持部」はそれぞれ一本の光源を保持することができる。たとえば「光源保持部」とは、一本の光源を保持するために光源保持部材に形成される構造物もしくは特定の形状、またはこれらの組合せをいう。
【００１２】
前記光源保持部には、具体的には前記線状の光源を保持する保持バンドを係止可能な係止孔が形成される構成が適用できる。
【００１３】
また、前記光源保持部には、前記線状の光源の外周面に係合可能な係合凹部が形成される構成、または前記線状の光源の外周面に係合可能な係合突起が形成される構成が適用できる。また、前記線状の光源の外周に弾発的に係止可能な係止片が形成される構成であってもよい。
【００１４】
前記光源保持部は、樹脂または金属からなることが好ましい。また、前記光源保持部は、略白色または略乳白色であることが好ましいく、樹脂からなる場合には略透明であっても良い。
【００１５】
そして、シャーシの底面に、前記いずれかの光源保持部材を配設するとともに、線状の光源をそれらの長手方向が前記光源保持部材の長手方向に略直角方向を向けて配置する。そして各線状の光源を、前記光源保持部材の光源保持部において保持する。
【００１６】
シャーシの底面に光源保持部材を配置する構成として、前記シャーシの底面から起立する一対の側壁に、前記光源保持部材の長手方向端部を係合可能な係合凹部を形成し、前記光源保持部材の長手方向端部を前記一対の側壁に形成した係合凹部に係合させる構成が適用できる。
【００１７】
ここで、一対の側壁に複数の凹部を形成し、前記光源保持部材の長手方向端部を前記複数の凹部のいずれかに択一的に係合させる構成であってもよい。また、シャーシの一対の側壁の側壁に長溝状の凹部を形成し、前記光源保持部材の長手方向端部を前記長溝状の凹部に係合させる構成であってもよい。
【発明の効果】
【００１８】
本発明によれば、線状の光源の配置間隔を、光源保持部材の光源保持部の間隔に応じて設定できる。すなわち、光源の配置間隔を、光源保持部材に形成される光源保持部のピッチを最小単位として任意に設定できる。このため、光源をほぼ任意の間隔で略等間隔に配置できるほか、光源を不等間隔に配置することもできる。
【００１９】
また、前記光源保持部に線状の光源の外周面に係合可能な係合凹部が形成される構成であると、光源を光源保持部材に保持させる作業において、光源の位置決めが容易となる。また、いったん位置決めした光源は移動し難くなるから、光源保持バンドの装着作業が容易となる。さらに光源保持バンドを装着した後においても、光源の位置ずれを防止できる。
【発明を実施するための最良の形態】
【００２０】
以下に、本発明の実施形態について、図面を参照して詳細に説明する。
【００２１】
本発明の各実施形態にかかる光源保持部材は、表示装置のシャーシまたは表示装置用の光源ユニットのシャーシに装着して用いる部材である。そして線状の光源、たとえば冷陰極管や熱陰極管などの蛍光管、キセノン管などの放電管といった線状の光源を保持することができる。
【００２２】
図１は、本発明の第一実施形態にかかる光源保持部材１ａの全体構成と、この第一実施形態にかかる光源保持部材１ａを装着できる光源ユニットのシャーシ２ａの構成を示した外観斜視図である。以下、本発明の第一実施形態にかかる光源保持部材を、「第一の光源保持部材」と称することがある。なお、実際の光源ユニットには、シャーシ２ａと第一の光源保持部材１ａとの間に、反射シートなどの光学部材が配置されることがあるが、ここでは省略する。また、以下説明の便宜上、図１中の上方を第一の光源保持部材１ａとシャーシ２ａのそれぞれの「前面側」と称し、下方をそれぞれの「背面側」と称する。
【００２３】
まず、図１を参照して、第一の光源保持部材１ａを装着できる光源ユニットのシャーシ２ａについて説明する。図１に示すようにこのシャーシ２ａは、略四辺形の平板状の部材である。たとえば金属の板材などからなり、プレス加工などを用いて形成される。シャーシ２ａの外周の各辺のうち、配置される光源（図示せず）の軸線方向に平行な辺（ここでは両長辺）には、前面側に向かって起立する一対の側壁２１が設けられる。
【００２４】
そしてこの側壁２１の所定の箇所には、第一の光源保持部材１ａの係合突起１２を係合させることができる係合凹部２１１が形成される。この係合凹部２１１は、両側壁に互いに対向する位置に形成される。図１においては隠れて見えないが、手前側の側壁にも形成される。さらにシャーシ２ａの底面２２にも、第一の光源保持部材１ａの係合突起１３を係合させることができる係合凹部２２１が形成される。底面２２の係合凹部２２１は、両側壁２１に対向して形成される一対の係合凹部２１１を通過する直線上またはその近傍に形成される。
【００２５】
なお、これらの係合凹部２１１，２２１は、第一の光源保持部材１ａに形成される係合突起１２，１３を係合させることができる寸法形状であればよい。また、第一の光源保持部材１ａに形成される係合突起１２，１３を係合させることができるのであれば、たとえば貫通孔であってもよい。
【００２６】
次に図１を参照して、第一の光源保持部材１ａの全体構成について説明する。図１に示すように第一の光源保持部材１ａは、略棒状に形成される部材である。この第一の光源保持部材１ａは、略白色、略乳白色または略透明の材料により形成されるか、その表面が略白色または略乳白色に着色される。たとえば略白色、略乳白色または略透明の合成樹脂材料などにより形成されるか、金属から形成され、表面が略白色または略乳白色に着色される。略白色または略乳白色であると、光源ユニットに組み込んだ状態で、第一の光源保持部材１ａが目立たなくなり、輝度ムラなどの発生を防止できる。また、略透明であると、透かしてみることにより光源の配置状態を確認できる。
【００２７】
第一の光源保持部材１ａの前面側には、その長手方向に沿って複数の光源保持部が連続的に形成される。ここで、「光源保持部」とは、一本の光源を保持できる構造物またはこのような構造物の組合せをいうものとする。
【００２８】
具体的には、一本の光源を保持できる構造物として後述する光源保持バンドを係止できる複数の係止孔１１が形成される。これらの係止孔１１は、第一の光源保持部材１ａの長手方向のほぼ全長に亘って、所定の間隔をおいて並ぶように形成される。これらの係止孔１１は、たとえば第一の光源保持部材１ａの前面側から背面側にかけて貫通する。
【００２９】
第一の光源保持部材１ａの長手方向端面には、シャーシ２ａの側壁２１に形成される係合凹部２１１に係合可能な係合突起１２が形成される。また、第一の光源保持部材１ａの背面側には、シャーシ２ａの底面２２に形成される係合凹部２２１に係合可能な係合突起１３が形成される。そして、矢印で示すように、第一の光源保持部材１ａの長手方向端面の係合突起１２をシャーシ２ａの側壁２１の係合凹部２２１に係合させ、背面側の係合突起１３をシャーシ２ａの底面２２の係合凹部２２１に係合させることにより、第一の光源保持部材１ａをシャーシ２ａに装着することができる。このように装着すると、第一の光源保持部材１ａは、その長手方がシャーシ２ａの長辺に略直交する方向を向いた状態でシャーシ２ａに保持される。
【００３０】
なお、第一の光源保持部材１ａの長手方向寸法は、端面に形成される係合突起１２を除いて、シャーシ２ａの両側壁２１の間の寸法に略等しい寸法に設定される。第一の光源保持部材１ａの高さ寸法（背面から前面までの寸法をいうものとする。以下同じ）は、光源をシャーシ２ａの底面２２からどの程度離した位置に配置するかに応じて設定される。また、第一の光源保持部材１ａの幅方向寸法は特に限定されるものではない。
【００３１】
図２は、第一の光源保持部材１ａに光源５１を保持させる前の状態と、第一の光源保持部材１ａに光源５１を保持させた状態とをまとめて示した図である。図２（ａ）は第一の光源保持部材１ａと光源５１の一部を抜き出して示した斜視図、図２（ｂ）は図２（ａ）のＡ−Ａ線断面図である。
【００３２】
図２（ａ），（ｂ）のそれぞれに示すように、第一の光源保持部材１ａの係止孔１１は、その長手方向に沿って所定の間隔をおいて形成される。これらの係止孔１１の間隔は、保持する光源５１の外径以下に設定される。たとえば、光源５１の外径とほぼ同じか、光源５１の外径の１／２または１／３に設定される。図２においては、係止孔１１の間隔が、光源５１の外径の略１／２に設定される構成を示す。
【００３３】
各係止孔１１には、光源保持バンド３を係合させることができる。光源保持バンド３は、図２（ａ），（ｂ）のそれぞれに示すように、略Ｕ字形状に形成される部材、または略Ｕ字形状に変形させることができる帯状の部材である。これらの光源保持バンド３は、たとえば略白色、略乳白色または略透明で弾性変形可能な材料、たとえば各種の合成樹脂材料などにより形成される。光源保持バンド３の両端には、第一の光源保持部材１ａの係止孔１１の縁部に係合可能な係止片３１が設けられる。
【００３４】
このような第一の光源保持部材１ａと光源保持バンド３とを用いて、シャーシ２ａに光源を保持させる組み付け操作は次のとおりである。
【００３５】
まず、シャーシ２ａの底面２２の前面側に第一の光源保持部材１ａを装着する。装着方法は前記の通りである。具体的には、図１に示すように第一の光源保持部材１ａの長手方向の一端に形成される係合突起１２をシャーシ２ａの一方の側壁２１に形成される係合凹部２１１に係合させ、他端に形成される係合突起１２を他方の側壁２１に形成される係合凹部２１１に係合させる。また、第一の光源保持部材１ａの背面側に形成される係合突起１３をシャーシ２ａの底面２２に形成される係合凹部２２１に係合させる。これにより第一の光源保持部材１ａがシャーシ２ａに装着される。
【００３６】
次に、図２（ａ），（ｂ）のそれぞれに示すように、シャーシ２ａに装着した第一の光源保持部材１ａの前面側の所定の位置に光源５１を配置する。そしてその前面側から光源保持バンド３を装着する。具体的には、各光源保持バンド３を、配置された光源５１を挟みこむように前面側から被せ、被せた光源保持バンド３の各端部（すなわち係止片３１）を各係止孔１１に挿入する。その結果、各光源保持バンド３の両端に形成される係止片３１が、各係止孔１１の背面側の縁部に係止する。これによって各光源保持バンド３が第一の光源保持部材１ａに脱落困難に係止し、各光源５１が各光源保持バンド３によって第一の光源保持部材１ａに保持される。
【００３７】
図３は、第一の光源保持部材１ａと光源保持バンド３とを用いてシャーシ２ａに光源５１を配置した状態を示した外観斜視図である。このような第一の光源保持部材１ａと光源保持バンド３とを用いると、図３に示すように、各光源５１をシャーシ２ａの前面側に所定の間隔で配置することができる。なお、図３においては、二本の第一の光源保持部材１ａをシャーシ２ａに装着した構成を示すが、シャーシ２ａに装着する第一の光源保持部材１ａの数は限定されるものではない。
【００３８】
第一の光源保持部材１ａを用いると、光源５１の配置間隔を、第一の光源保持部材１ａに形成される係止孔１１の間隔に応じて設定できる。すなわち、光源５１の配置間隔を、第一の光源保持部材１ａに形成される各係止孔１１のピッチを最小単位として任意に設定できる。このため、光源５１をほぼ任意の間隔で略等間隔に配置できるほか、光源５１を不等間隔に配置することもできる。
【００３９】
第一の光源保持部材１ａを用いると、シャーシ２ａに変更を加えることなく光源５１の数や配置間隔を変更できるから、配置される光源５１の数や間隔が異なる機種でシャーシ２ａの共通化を図ることができる。このため、たとえばシャーシ２ａを製造するための金型の共通化を図ることができ、製造コストの削減を図ることができる。
【００４０】
また、同一機種において配置する光源５１の数や間隔の設計変更を行う場合において、シャーシ２ａの設計変更を行う必要がない。シャーシ２ａを製造するための金型の変更などの必要がないから、設計変更に要するコストの削減を図ることができる。また、ただちに設計変更を実施することができる。
【００４１】
なお、従来のランプクリップを用いる構成において、光源の配置位置や間隔に自由度を持たせる構成としては、ランプクリップを装着できる孔をシャーシの底面に予備的に形成しておく（すなわち、貫通孔を余分に形成しておく）構成がある。この構成と比較すると、本発明はシャーシの底面に予備的な貫通孔を形成する必要がない（すなわち、結果として未使用となる貫通孔がない）から、シャーシからの光漏れを防止することができる。また、多数の貫通孔を形成することによるシャーシの強度低下を招くことがない。
【００４２】
次に、本発明の第二実施形態にかかる光源保持部材１ｂについて説明する。以下、本発明の第二実施形態にかかる光源保持部材１ｂを、「第二の光源保持部材」と称することがある。図４は、第二の光源保持部材１ｂの全体構成を示した外観斜視図と、Ａ部を抜き出して示したＡ部拡大図である。なお、第二の光源保持部材１ｂを装着できる光源ユニットのシャーシ２ａは、第一の光源保持部材１ａを装着できるシャーシ２ａと同じ構成のものが適用できる。したがって説明は省略する。また、以下説明の便宜上、図４中の上方を第二の光源保持部材１ｂとシャーシ２ａのそれぞれの「前面側」と称し、下方をそれぞれの「背面側」と称する。
【００４３】
図４に示すように第二の光源保持部材１ｂは、略棒状に形成される部材である。そしてその前面側には、その長手方向に沿って複数の光源保持部が連続的に形成される。具体的には、一本の光源を保持できる構造物として凹部１４と係止孔１１とが形成される。
【００４４】
なお、第二の光源保持部材１ｂは、前面側に凹部１４が形成される構成を除いては、第一の光源保持部材１ａと同じ構成が適用できる。すなわち、第二の光源保持部材１ｂは、略白色、略乳白色または略透明の材料により形成されるか、その表面が略白色または略乳白色に着色される。または金属からなり、その表面が略白色または略乳白色に着色される。また、その長手方向の端面には、シャーシ２ａの側壁２１に形成される係合凹部２１１に係合可能な係合突起１２が形成される。第二の光源保持部材１ｂの背面側には、シャーシ２ａの底面２２に形成される係合凹部２２１に係合可能な係合突起１３が形成される。
【００４５】
第二の光源保持部材１ｂの各部の寸法も、第一の光源保持部材１ａの各部と同じ寸法が適用できる。すなわち、第二の光源保持部材１ｂの長手方向寸法は、端面に形成される係合突起１２を除いて、シャーシ２ａの両側壁２１間の寸法に略等しい寸法に設定される。第二の光源保持部材１ｂの高さ寸法は、光源５１をシャーシ２ａの底面２２からどの程度の距離の位置に配置するかに応じて設定される。第二の光源保持部材１ｂの幅方向寸法は特に限定されるものではない。
【００４６】
そして第二の光源保持部材１ｂの長手方向端面の係合突起１２をシャーシ２ａの側壁２１の係合凹部２１１に係合させ、背面側の係合突起１３をシャーシ２ａの底面２２の係合凹部２２１に係合させることにより、第二の光源保持部材１ｂをシャーシ２ａに装着することができる。
【００４７】
図４（特にＡ部拡大図を参照）に示すように、第二の光源保持部材１ｂの前面側には、複数の凹部１４が所定のピッチで連続するように形成される。各凹部１４は、断面が略円弧状で、第二の光源保持部材１ｂの幅方向に略平行に延伸する溝のような構成を有する。
【００４８】
また、第二の光源保持部材１ｂの前面側には、光源保持バンド３の両端を係合させることができる複数の係止孔１１が形成される。これらの係止孔１１は、第二の光源保持部材１ｂの長手方向に沿って所定のピッチで形成される。なお、光源保持バンド３は、第一の光源保持部材１ａに適用されるものと同じ構成のものが適用できる。したがって説明は省略する。
【００４９】
これらの凹部１４のピッチと係止孔１１のピッチ（すなわち光源保持部のピッチ）は、それぞれ保持する光源５１の外径以下に設定される。たとえば光源５１の外径とほぼ同じか、光源５１の外径の略１／２または略１／３などに設定される。また、凹部１４のピッチと係止孔１１のピッチは、互いに略等しく設定される。したがって、第二の光源保持部材１ｂの前面側は、全体としてその長手方向に沿って凹部１４が繰り返すとともに、凹部１４のピッチに略等しいピッチで係止孔１１が形成される構成を有する。
【００５０】
なお、図４においては、凹部１４のピッチと係止孔１１のピッチは、それぞれ光源５１の外径の略１／２に設定され、各凹部１４の底部に係止孔１１が形成される構成を示す。
【００５１】
図５は、第二の光源保持部材１ｂの一部と、光源５１の一部とを抜き出して示した図であり、第二の光源保持部材１ｂに光源５１を保持させる前の状態と、光源保持バンド３を用いて第二の光源保持部材１ｂが光源５１を保持している状態とをまとめて示す。なお、図５（ａ）は斜視図、図５（ｂ）は図５（ａ）のＢ−Ｂ線断面図である。
【００５２】
このような第二の光源保持部材１ｂと光源保持バンド３を用いて、シャーシ２ａに光源５１を保持させる組み付け操作は次のとおりである。まず、第二の光源保持部材１ｂをシャーシ２ａに装着する。装着方法は前記の通りである（図１参照）。
【００５３】
次に、各光源５１を、シャーシ２ａに装着した第二の光源保持部材１ｂの前面側の所定の位置に配置する。第二の光源保持部材１ｂの前面側には前記のように凹部１４が形成されており、配置された光源５１の外周の一部が、第二の光源保持部材１ｂの所定の凹部１４に係合する。したがって光源５１の位置決めを容易に行うことができる。
【００５４】
そしてその前面側から光源保持バンド３を装着する。具体的には、各光源保持バンド３を、配置された光源５１を挟みこむように前面側から被せ、被せた光源保持バンド３の各端部を各係止孔１１に挿入する。その結果、各光源保持バンド３の両端に形成される係止片３１が、各係止孔１１の背面側の縁部に係合する。光源５１は第二の光源保持部材１ｂの凹部１４に係合しているから、光源保持バンド３を装着する際に光源５１が所定の位置から移動することが防止される。したがって光源保持バンド３を装着する作業が容易となる。
【００５５】
そして光源保持バンド３が装着されると、光源保持バンド３によって光源が所定の凹部１４に係合している状態が維持される。このため、光源５１を装着した後において、光源５１の位置ずれを防止できる。
【００５６】
このような構成によれば、第一の光源保持部材１ａと光源保持バンド３を用いて光源５１を保持する構成と同様の作用効果を奏することができる。さらに前記のように、光源５１を第二の光源保持部材１ｂに保持させる作業において、光源５１の位置決めが容易となる。また、いったん位置決めした光源５１は移動し難くなるから、光源保持バンド３の装着作業が容易となる。さらに光源保持バンド３を装着した後においても、光源５１の位置ずれを防止できる。
【００５７】
なお、光源５１の外周の一部を係合させる凹部の形状は、前記のような円弧状の形状に限定されるものではない。そこで次に変形例について説明する。次に示す第三の実施形態にかかる光源保持部材１ｃと第四の実施形態にかかる光源保持部材１ｄは、前面側に形成される凹部と係止孔１１の変形例である。なお、以下においては第二の光源保持部材１ｂと異なる構成について主に説明する。また、第二の光源保持部材１ｂと共通する構成の部分については同じ符号を付して示し、説明は省略することがある。
【００５８】
図６は、本発明の第三実施形態にかかる光源保持部材１ｃの構成を模式的に示した外観斜視図と、そのＡ部を抜き出して示したＡ部拡大図である。以下、第三実施形態にかかる光源保持部材１ｃを、「第三の光源保持部材」と略して称することがある。また、説明の便宜上、図６の上方を、第三の光源保持部材１ｃの「前面側」と称し、下方を「背面側」と称する。
【００５９】
図６に示すように第三の光源保持部材１ｃは、略棒状に形成される部材である。その前面側には、長手方向に沿って複数の光源保持部が連続的に形成される。具体的には、一本の光源を保持できる構造物および形状として、光源５１の外周を係合可能な凹部１５と光源保持バンド３の両端を係合可能な複数の係止孔１１が形成される。したがって全体として、この第三の光源保持部材１ｃの前面側には、光源５１の外周の一部に係合可能な複数の凹部１５と、光源保持バンド３の両端を係合可能な複数の係止孔１１が、それぞれ所定のピッチで形成される。
【００６０】
なお、第三の光源保持部材１ｃは、前面側に形成される複数の凹部１５の構成を除いては、第二の光源保持部材１ｂと同じ構成が適用できる。したがって説明を省略する。また、第三の光源保持部材１ｃの各部の寸法も、第二の光源保持部材１ｂの各部の寸法と同じ寸法が適用できる。
【００６１】
図６（特にＡ部拡大図を参照）に示すように、第三の光源保持部材１ｃの前面側は、傾斜の向きが異なる傾斜面が交互に形成される構成を有する。このため、全体として長手方向に沿って谷状の凹部１５が所定のピッチで繰り返す形状を有する。そして各凹部１５には、光源５１の外周の一部を係合させることができる。凹部１５のピッチは、保持する光源５１の外径以下に設定される。たとえば光源５１の外径とほぼ同じか、光源５１の外径の略１／２または略１／３などに設定される。そして各凹部１５の底には、光源保持バンド３の両端を係合するための係止孔１１が形成される。
【００６２】
図７は、第三の光源保持部材１ｃに光源５１を保持させる前の状態と、光源保持バンド３を用いて第三の光源保持部材１ｃが光源５１を保持している状態とをまとめて示した図である。それぞれ図７（ａ）は第三の光源保持部材１ｃと光源５１の一部を抜き出して示した斜視図、図７（ｂ）は図７（ａ）のＣ−Ｃ線断面図である。
【００６３】
図７（ａ），（ｂ）のそれぞれに示すように、第三の光源保持部材１ｃの前面側の所定の凹部１５に光源５１を配置し、光源５１の外周の一部を係合させる。そしてその前面側から光源５１を挟みこむようにして光源保持バンド３を装着する。これにより光源５１が第三の光源保持部材１ｃに保持される。
【００６４】
図８は、本発明の第四実施形態にかかる光源保持部材１ｄの構成を模式的に示した外観斜視図と、Ａ部を抜き出して示したＡ部拡大図である。以下、第四実施形態にかかる光源保持部材１ｄを、「第四の光源保持部材」と略して称することがある。また、説明の便宜上、図８の上方を、第四の光源保持部材１ｄの「前面側」と称し、下方を「背面側」と称する。
【００６５】
図８に示すように第四の光源保持部材１ｄは、略棒状に形成される部材である。その前面側には、その長手方向に沿って複数の光源保持部が連続的に形成される。具体的には光源保持部として、光源の外周の一部に係合可能な凹部と、光源保持バンド３を係止可能な係止孔１１とが形成される。
【００６６】
したがって全体としてこの第四の光源保持部材１ｄの前面側には、光源５１の外周の一部に係合可能な複数の凹部１６が所定のピッチで形成されるとともに、各凹部１６には、光源保持バンド３を係合可能な係止孔１１が形成される。Ａ部拡大図は、この係止孔１１の構成が分かり易いように、第四の光源保持部材１ｄの一部を切除してある。
【００６７】
図８（特にＡ部拡大図を参照）に示すように、各溝状の凹部１６は、第四の光源保持部材１ｄの長手方向に対して略直角方向に延伸する溝状に形成される。凹部１６の断面形状は特に限定されるものではないが、たとえば図８に示すような略四辺形の断面形状のほか、前面側に向かって溝幅が広がる台形状の断面形状が適用できる。この凹部１６のピッチは、保持する光源５１の外径以下に設定される。たとえば光源５１の外径とほぼ同じか、光源５１の外径の略１／２または略１／３などに設定される。図９においては、凹部１６のピッチが光源５１の外径の略１／２に設定される構成を示す。
【００６８】
そして各凹部１６の底面には、光源保持バンド３の両端を係止できる係止孔１１が形成される。この係止孔１１は、凹部１６の底面から第四の光源保持部材１ｄの背面側に貫通する。
【００６９】
なお、第四の光源保持部材１ｄは、前面側に形成される複数の凹部１６と係止孔１１の構成を除いては、第二の光源保持部材１ｂと共通の構成が適用できる。したがって共通の構成を有する部分については説明を省略する。また、第四の光源保持部材１ｄの各部の寸法も、第二の光源保持部材１ｂの各部の寸法と同じ寸法が適用できる。
【００７０】
図９は、第四の光源保持部材１ｄに光源５１を保持させる前の状態と、光源保持バンド３を用いて第四の光源保持部材１ｄに光源５１が保持される状態とをまとめて示した図である。それぞれ図９（ａ）は第四の光源保持部材１ｄと光源５１の一部を抜き出して示した斜視図、図９（ｂ）は図９（ａ）のＤ−Ｄ線断面図である。
【００７１】
第四の光源保持部材１ｄに光源５１を保持させる方法は、第二の光源保持部材１ｂとほぼ同じである。簡単に説明すると、まず第四の光源保持部材１ｄをシャーシ２ａに装着し（図１参照）する。そして図９（ａ），（ｂ）のそれぞれに示すように、各光源５１を所定の凹部１６に配置し、外周の一部を所定の凹部１６に係合させる。そしてその前面側から、光源保持バンド３を装着する。
【００７２】
このような構成によれば、光源５１を第四の光源保持部材１ｄの前面側に配置する際に、光源５１の外周の一部を凹部１６に嵌めこむように配置することにより、光源５１の位置決めをすることができる。したがって、第二の光源保持部材１ｂと同様の作用効果を奏することができる。
【００７３】
なお、第二の光源保持部材１ｂ、第三の光源保持部材１ｃ、第四の光源保持部材１ｄは、それぞれの前面側に光源５１の外周の一部を係合できる凹部１４，１５，１６が形成される構成を有するが、光源５１の外周の一部を係合できる凸部が形成される構成であってもよい。「凹部」が形成されるか「凸部」が形成されるかは表現上の相違に過ぎず、実質的に同一の構成である。
【００７４】
また、光源保持バンドを用いずに光源５１を光源保持部材に保持できる構成であってもよい。そこで次に、光源保持バンドを用いずに光源を保持できる光源保持部材について説明する。
【００７５】
図１０は、本発明の第五実施形態にかかる光源保持部材１ｅの構成を、模式的に示した外観斜視図と、Ａ部を抜き出して示したＡ部拡大図である。以下、本発明の第五実施形態にかかる光源保持部材１ｅを「第五の光源保持部材」と称することがある。なお、第五の光源保持部材１ｅを装着できるシャーシ２ａは、第一の光源保持部材を装着できるシャーシ２ａと同じ構成のものが適用できることから、説明は省略する。また、以下説明の便宜上、図１２中の上方を第五の光源保持部材１ｅとシャーシ２ａのそれぞれの「前面側」と称し、下方を「背面側」と称する。
【００７６】
図１０に示すように第五の光源保持部材１ｅは、略棒状に形成される部材である。第五の光源保持部材１ｅの前面側には、その長手方向に沿って複数の光源保持部が連続的に形成される。具体的には光源保持部として、光源５１に弾発的に係合できる係止片１７が形成される。
【００７７】
したがって第五の光源保持部材１ｅは、その前面側に複数の係止片１７が、所定の間隔をおいて、第五の光源保持部材１ｅの長手方向のほぼ全長に亘って形成される。これらの係止片１７のピッチは、保持する光源５１の外径と略同じに設定される。
【００７８】
図１０（特にＡ部拡大図を参照）に示すように、第五の光源保持部材１ｅの係止片１７は、前面側に突起する舌片状に形成される。そしてそれらの先端は、光源５１の外周面に係止できるように、第五の光源保持部材１ｅの長手方向に倒れこむように湾曲している。各係止片１７は、第五の光源保持部材１ｅの長手方向に倒れるように弾性変形が可能である。
【００７９】
なお、第五の光源保持部材１ｅの構成は、第一の光源保持部材１ａの構成と比較して、光源５１を係止することができる係止片１７が形成され、光源保持バンドを係合できる係止孔が形成されない点が主に相違する。それ以外の構成はほぼ共通である。したがって共通する構成については同じ符号を付して示し、説明は省略する。また、第五の光源保持部材１ｅの各部の寸法も、第一の光源保持部材１ａの各部と同じ寸法が適用できる。
【００８０】
図１１は、第五の光源保持部材１ｅに光源５１を保持させる前の状態と、第五の光源保持部材１ｅが光源５１を保持している状態とを、まとめて示した図である。それぞれ、図１３（ａ）は第五の光源保持部材１ｅと光源５１の一部を抜き出して示した斜視図、図１３（ｂ）は図１３（ａ）のＦ−Ｆ線断面図である。
【００８１】
このような第五の光源保持部材１ｅを用いて、シャーシ２ａに光源５１を保持させる組み付け操作は次のとおりである。まず、シャーシ２ａの底面の前面側に第五の光源保持部材１ｅを装着する。第五の光源保持部材１ｅをシャーシ２ａに装着する方法は、前記第一の光源保持部材１ａと同じである。したがって説明は省略する（図１参照）。
【００８２】
そして、図１１（ａ），（ｂ）のそれぞれに示すように、係止片１７の間に光源５１を配置する。具体的には、前面側から矢印の向きに光源５１を係止片１７の間に押しこむように挿入する。このようにすると、係止片１７が弾性変形して係止片１７どうしの間が広がるから、係止片１７の間に光源５１を挿入できる。そして係止片１７の先端に形成される湾曲した部分が、光源５１に係止する。したがって係止片１７の間に挿入された光源が自然に抜け落ちることが防止され、光源５１が第五の光源保持部材１ｅに保持される。
【００８３】
このような構成によれば、任意の係止片１７の間に光源５１を挿入することにより、光源５１の配置間隔を係止片１７のピッチに応じて設定できる。すなわち、光源５１の配置間隔を、第五の光源保持部材１ｅに形成される係止片１７のピッチを最小単位として任意に設定できる。したがって、第一の光源保持部材１ａから第四の光源保持部材１ｄと同様の作用効果を奏することができる。
【００８４】
次に、本発明の実施形態にかかる表示装置用の光源ユニットについて説明する。本発明の実施形態にかかる表示装置用の光源ユニットは、光源が前記いずれかの実施形態にかかる光源保持部材により保持される構成を備える。図１２は、本発明の実施形態にかかる表示装置用の光源ユニットの要部の構成を、模式的に示した分解斜視図である。以下説明の便宜上、図１２の上方を光源ユニットの「前面側」と称し、下方を「背面側」と称する。
【００８５】
なお、図１２は、説明のための例として第一の光源保持部材１ａが適用される構成を示すが、他のいずれかの実施形態にかかる光源保持部材が適用される構成であってもよい。いずれの実施形態にかかる光源保持部材を適用しても、光源保持部材により光源を保持する構成を除いては共通の構成が適用できる。
【００８６】
図１２に示すように本発明の実施形態にかかる表示装置用の光源ユニット５は、シャーシ２ａと、反射シート５２と、本発明のいずれかの実施形態にかかる光源保持部材（図においては第一の光源保持部材１ａ）と、適用する光源保持部材の種類によっては光源保持バンド３（図略）と、複数の光源５１と、サイドホルダ５３と、光学シート類５４と、フレーム５５と、光源駆動回路基板５６と、光源駆動回路基板カバー５６１とを備える。
【００８７】
反射シート５２、光源５１、サイドホルダ５３、光学シート類５４、フレーム５５、光源駆動回路基板５６、光源駆動回路基板カバー５６１は、従来公知の一般的な構成のものが適用できる。したがって以下簡単に説明し、詳細な説明は省略する。
【００８８】
シャーシ２ａは、略四辺形の平板状の部材である。たとえば金属の板材などからなり、プレス加工などを用いて形成される。シャーシ２ａの外周の各辺のうち、配置される光源５１の軸線方向に平行な辺（ここでは両長辺）には、前面側に向かって起立する側壁２１が設けられる。
【００８９】
そしてこの側壁２１の所定の箇所には、前記いずれかの実施形態にかかる光源保持部材１ａ〜１ｅの係合突起１２を係合させることができる係合凹部２１１が形成される（図においては隠れて見えない。具体的には図１を参照）。この係合凹部２１１は、両側壁２１の互いに対向する位置に形成される。さらにシャーシ２ａの底面２２にも、前記いずれかの実施形態にかかる光源保持部材１ａ〜１ｅの係合突起１３を係合させることができる係合凹部２２１が形成される（図においては隠れて見えない。具体的には図１を参照）。底面２２の係合凹部２２１は、両側壁２１に形成される一対の係合凹部２１１を通過する直線上またはその近傍に形成される。
【００９０】
なお、これらの係合凹部２１１，２２１は、前記いずれかの実施形態にかかる光源保持部材１ａ〜１ｅに形成される係合突起１２，１３を係合させることができる寸法形状であればよい。また係合突起１２，１３を係合させることができるのであれば凹部である必要はなく、たとえば貫通孔であってもよい。
【００９１】
反射シート５２は、光源５１が発する光を乱反射する表面性状を有するシート状または板状の部材である。この反射シート５２は、たとえば発泡ＰＥＴ（ポリエチレンテレフタレート）などにより形成される。この反射シート５２には、シャーシ２ａの前面側に配置した場合に、シャーシ２ａの底面や側壁に形成される係合凹部２１１，２２１に対応する位置に開口部５２１，５２２が形成される。
【００９２】
サイドホルダ５３は、後述する光学シート類５４を配設する際のスペーサなどとして機能する部材である。このサイドホルダ５３は略棒状の部材であり、たとえば樹脂材料によって一体に形成される。
【００９３】
光学シート類５４は、光源５１が発する光の特性を調整するシート状の部材もしくは板状の部材、またはこのような部材の集合をいうものとする。光学シート類５４には、たとえば透過する光を拡散させる機能を有する拡散板や拡散シート、所定の向きの偏光を透過しそれ以外の光は反射する機能を有する偏光反射シート、集光機能を有するレンズシートなどが含まれる。そして一般的には、これらが積み重ねられて用いられる。
【００９４】
フレーム５５は、光学シート類５４や後述する表示パネルなどを保持および／または保護する機能などを有する部材である。このフレーム５５は、開口した略四辺形の形状を有し、たとえば樹脂材料などにより一体に形成される構成や、樹脂材料などにより形成された複数の部品を組み合わせる構成、金属の板材によりプレス加工などを用いて形成される構成、金属の板材によりプレス加工などを用いて形成された部品などを組み合わせる構成、などが適用できる。
【００９５】
光源駆動回路基板５６は、光源５１を駆動する電子回路および／または電気回路が構築された回路基板である。光源駆動回路基板カバー５６１は、光源駆動回路基板５６を覆う板状の部材であり、たとえば金属の板材などにより形成される。
【００９６】
このような部材を備える表示装置用の光源ユニット５の組み付けは次のとおりである。
【００９７】
まず、シャーシ２ａの前面側に反射シート５２を配置し、その前面側にいずれかの実施形態にかかる光源保持部材１ａ〜１ｅを装着する。前記の通り反射シート５２には開口部５２１，５２２が形成されているから、前記いずれかの実施形態にかかる光源保持部材１ａ〜１ｅに形成される係合突起１２，１３を、これらの開口部に挿通することによって、シャーシ２ａに形成される係合凹部２１１，２２１に係合させることができる。
【００９８】
ここで、第一から第四のいずれかの実施形態にかかる光源保持部材１ａ〜１ｄを適用する場合には、シャーシ２ａに装着した光源保持部材１ａ〜１ｄの前面の所定の位置に各光源５１を配置し、配置した各光源５１を光源保持バンド３によって固定する。一方、第五の光源保持部材１ｅを適用する場合には、光源５１を所定の係止片１７の間に挿入して固定する。
【００９９】
そして、シャーシ２ａの各短辺に、各光源５１の端部を覆うようにサイドホルダ５３を配置する。そしてその前面側に光学シート類５４を配置し、その前面側からフレーム５５を装着する。また、光源駆動回路基板５６をシャーシ２ａの背面側に配設し、光源駆動回路基板５６と各光源５１とを電気的に接続する。さらに、光源駆動回路基板５６を覆うように光源駆動回路基板カバー５６１を装着する。
【０１００】
これにより本発明の実施形態にかかる光源ユニット５が得られる。
【０１０１】
なお、シャーシ２ａの前面側に反射シート５２が配置されない構成であってもよい。図１３は、反射シートが配置されない光源ユニット５’の構成を模式的に示した分解斜視図である。
【０１０２】
ランプクリップを用いて光源をシャーシに固定する従来の構成において、シャーシの共通化を図るためには、シャーシの底面にランプクリップを係合するための貫通孔を多数形成し、選択的に貫通孔にランプクリップを固定する。しかしながらこのような構成とすると、未使用の貫通孔から光漏れが生じるため、シャーシの前面側に反射シートを配置して未使用の貫通孔から光が漏れないようにする必要がある。
【０１０３】
これに対して本発明の実施形態にかかる構成では、光源５１の数や配置位置の異なる機種においてシャーシ２ａの共通化を図る場合であっても、シャーシ２ａの底面２２や側壁２１に未使用となる貫通孔を形成する必要がない。したがって、シャーシ２ａの前面側に反射シート５２を配置しなくとも、シャーシ２ａから光漏れが生じることがない。
【０１０４】
そこで、シャーシ２ａの前面側（すなわち、シャーシ２ａの底面２２の前面側と側壁２１の内面側）の表面性状を、光の反射に関しては反射シート５２と同様な特性を有する性状にすれば、シャーシ２ａの前面側に反射シート５２を配置する必要がなくなる。具体的には、シャーシ２ａの前面側に略白色または略乳白色の塗装を施すなどすればよい。
【０１０５】
なお、このような構成の光源ユニット５’は、シャーシの前面側に反射シート５２が配置されない構成およびシャーシ２ａの前面側の表面性状が調整してある構成を除いては、図１２に示す本発明の実施形態にかかる表示装置用の光源ユニット５と同じ部材、同じ構成が適用できる。したがって図１３においては、図１２に示す光源ユニット５と共通する部材、共通する構成については同じ符号を付して示す。また、説明は省略する。
【０１０６】
このような構成であっても、前記同様の作用効果を奏することができる。そしてこのような構成とすると、光源ユニット５’の部品点数を削減することができる。また、光源ユニット５’の組立工程において、反射シート５２を配置する工程を削減することができる。
【０１０７】
前記の通り本発明の実施形態にかかる光源保持部材１ａ〜１ｅの装着位置は、シャーシ２ａに形成される係合凹部２１１，２２１の位置に応じて定まる。しかしながら、光源ユニットの機種に応じて光源保持部材１ａ〜１ｅを装着する位置を異ならせたい場合がある。そこで次に、前記各実施形態にかかる光源保持部材１ａ〜１ｅをシャーシに装着する際に、装着位置の自由度の向上を図ることができる構成について説明する。
【０１０８】
図１４は、本発明の実施形態にかかる光源保持部材１ａ〜１ｅの装着位置の自由度を向上させることができるシャーシの構成の第一の例を模式的に示した外観斜視図である。このシャーシ２ｂは、基本的な構成は前記第一実施形態において説明したシャーシ２ａの構成と同じである。したがって、構成の共通する部分については同じ符号を付し、主に構成の相違する部分について説明する。
【０１０９】
図１４に示すように、シャーシ２ｂの側壁２１には、複数の係合凹部２１１が長辺方向に沿って所定の間隔をおいて形成される。また、シャーシ２ｂの底面２２にも、複数の係合凹部２２１が長辺方向に沿って所定の間隔をおいて形成される。そして前記いずれかの実施形態にかかる光源保持部材１ａ〜１ｅをシャーシ２ｂに装着する際に、複数の係合凹部２１１，２２１のうち所定の位置に形成されるものを選択し、選択した係合凹部２１１，２２１に光源保持部材１ａ〜１ｅの係合突起１２，１３を係合させる。このような構成とすると、光源保持部材１ａ〜１ｅを装着する位置を選択できるから、装着位置の自由度が向上する。
【０１１０】
また、次のような構成であってもよい。図１５は、光源保持部材１ａ〜１ｅの装着位置の自由度を向上させることができるシャーシの構成の第二の例を模式的に示した外観斜視図である。図１５に示すように、このシャーシ２ｃの側壁２１には、そのほぼ全長に亘って延伸する溝状の係合凹部２１１’が形成される。また、シャーシ２ｃの底面２２にも、シャーシ２ｃの長辺方向に略平行に延伸する溝状の係合凹部２２１’が形成される。そして前記いずれかの実施形態にかかる光源保持部材１ａ〜１ｅをシャーシ２ｃに装着する際に、溝状の係合凹部２１１’，２２１’の任意の位置に係合突起１２，１３を係合させる。このような構成とすると、光源保持部材１ａ〜１ｅを装着する位置を任意に設定することができる。したがって装着位置の自由度が向上する。
【０１１１】
また、光源５１の高さ方向の配置位置（すなわちシャーシの底面からの距離）を異ならせたい場合がある。この場合には、次に示す構成を用いることにより、光源の高さ方向の配置位置の自由度を向上させることができる。図１６は、光源保持部材の高さ方向位置の自由度を向上させることができるシャーシと、光源保持部材と、この光源保持部材をシャーシに装着する際に使用するスペーサとを模式的に示した分解斜視図である。
【０１１２】
図１６に示すようにシャーシ２ｄの側壁２１の所定の位置には、光源保持部材１ａ〜１ｅの端面に形成される係合突起１２を係合可能な複数の係合凹部２１１が、側壁２１の高さ方向に沿って並んで形成される。これ以外の構成は、第一実施形態において説明したシャーシ２ａと同じ構成が適用できる。
【０１１３】
スペーサ４は、略棒状に形成される部材であり、略白色、略乳白色または略透明の材料により形成されるか、またはその表面が略白色または略乳白色に着色される。たとえば略白色、略乳白色または略透明の合成樹脂材料などにより形成されるか、金属により形成されその表面が略白色または略乳白色に着色される。そしてその前面側には光源保持部材１ａ〜１ｅの背面側に形成される係合突起１３を係合させるための係合凹部４１が形成される。またその背面側には、シャーシ２ｄの底面２２に形成される係合凹部２２１に係合することができる係合突起４３が形成される。さらに、図１６に示すように、スペーサ４の長手方向端面には、シャーシ２ｄの側壁の係合凹部２１１に係合できる係合突起４２が形成される構成であってもよい。
【０１１４】
そして、光源保持部材１ａ〜１ｅの背面側の係合突起１３をスペーサ４の前面側の係合凹部４１に係合させることにより、光源保持部材１ａ〜１ｅをスペーサ４に積み重ねることができる。なお、図１６において、左側の光源保持部材１ａはスペーサ４に積み重ねる前の状態を示し、右側の光源保持部材１ａはスペーサ４に積み重ねた状態を示す。
【０１１５】
光源５１の配置高さを高くしたい場合には、図１６に示すようにスペーサ４と光源保持部材１ａ〜１ｅとを、積み重ねるようにしてシャーシ２ｄの前面側に装着する。そして光源保持部材１ａ〜１ｅの係合突起１２を、シャーシ２ｄの側壁に形成される係合凹部２１１のうち、底面２２から遠い側に係合させる。また、スペーサ４の背面に形成される係合突起４３を、シャーシ２ｄの底面２２に形成される係合凹部２２１に係合させる。
【０１１６】
一方、光源５１の配置高さを低くしたい場合には、スペーサ４を用いず、光源保持部材１ａ〜１ｅの係合突起１２をシャーシ２ｄの側壁に形成される係合凹部２１１のうちの底面に近い側に係合させる。
【０１１７】
このような構成によれば、シャーシ２ｄの底面２２から光源保持部材１ａ〜１ｅの前面までの距離、すなわち光源５１の配置高さの自由度を向上させることができる。なお、ここでは光源５１の配置高さを二段階に変更できる構成を示したが、シャーシ２ｄの側壁２１に形成される係合凹部２１１の数を増やすことにより、三段階以上に調整できる。この場合には、各段階に応じた高さのスペーサを用いる構成のほか、一段階分の高さのスペーサを段階数に応じて積み重ねて用いる構成であってもよい。
【０１１８】
次に、本発明の実施形態にかかる表示装置について説明する。図１７は、本発明の実施形態にかかる表示装置６の構成を模式的に示した分解斜視図である。
【０１１９】
図１７に示すように本発明の実施形態にかかる表示装置６は、本発明の実施形態にかかる光源ユニット５と、表示パネル６１と、ベゼル６２と、コントロール回路基板６３と、コントロール回路基板カバー６３１とを備える。
【０１２０】
表示パネル６１は、従来公知の各種透過型の表示パネルが適用できる。たとえば、アクティブマトリックスタイプの液晶表示パネルが好適に適用できる。ベゼル６２は、表示パネル６１を支持および／または保護する機能などを有する部材である。図１７に示すようにこのベゼル６２は、開口した略四辺形の形状を有する。コントロール回路基板６３は、外部から入力された画像信号に基づいて、表示パネル６１を駆動するコントロール信号を生成する電子回路および／または電気回路が構築される回路基板である。コントロール回路基板カバー６３１は、このコントロール回路基板６３を覆う板状の部材である。このコントロール回路基板カバー６３１は、たとえば金属の板材により形成される。
【０１２１】
本実施形態にかかる表示装置６の組み付けは次のとおりである。本発明の実施形態にかかる光源ユニット５のフレーム５５の前面側に表示パネル６１を配置する。また、本発明の実施形態にかかる光源ユニット５のシャーシ２ａ〜２ｄの背面側にコントロール回路基板６３を配設する。そして表示パネル６１に装着される回路基板と、コントロール回路基板６３とを、各種信号を送受信可能に接続する。さらに表示パネル６１の前面側にベゼル６２を装着する。また、コントロール回路基板６３を覆うようにコントロール回路基板カバー６３１を配設する。
【０１２２】
次に本発明の実施形態にかかる表示装置を備えるテレビ受信機について説明する。図１８は、本発明の実施形態にかかる表示装置を備えるテレビ受信機７の構成を、模式的に示した分解斜視図である。図１８に示すようにこのテレビ受信機７は、本発明の実施形態にかかる表示装置６と、チューナ７１と、拡声手段７２と、電源７３と、キャビネット７４１，７４２と、支持部材７５とを備える。なお、チューナ７１、拡声手段７２、電源７３、キャビネット７４１，７４２、支持部材７５は、従来一般に用いられるものが適用できるから、それぞれ簡単に説明し、詳細な説明は省略する。
【０１２３】
チューナ７１は、受信した電波から所定のチャンネルの画像信号と音声信号とを生成する。このチューナ７１には、従来一般の地上波チューナ（アナログ地上波用のチューナ、デジタル地上波用のチューナ、またはこれら双方）、ＢＳチューナ、ＣＳチューナなどが適用できる。拡声手段７２は、チューナ７１が生成した音声信号に基づいて音声を発する。この拡声手段７２には、一般的なスピーカなどが適用できる。電源７３は、本発明の実施形態にかかる表示装置６、チューナ７１、拡声手段７２に対して電力を供給することができる。
【０１２４】
そして、本発明の実施形態にかかる表示装置６、チューナ７１、拡声手段７２、電源７３が、キャビネット７４１，７４２に収納され、支持部材７５により支持される。図１８においては、キャビネットが前面側キャビネット７４１と背面側キャビネット７４２とからなり、これらの間に本発明の実施形態にかかる表示装置６、チューナ７１、拡声手段７２、電源７３が収納される構成を示す。このほか、チューナ７１、拡声手段７２、電源７３が、本発明の実施形態にかかる表示装置６に組み付けられる構成であっても良い。
【０１２５】
以上、本発明の実施形態について詳細に説明したが、本発明は前記実施形態に何ら限定されるものではなく、本発明の趣旨を逸脱しない範囲で種々の改変が可能である。
【図面の簡単な説明】
【０１２６】
【図１】本発明の第一実施形態にかかる光源保持部材１ａの全体構成と、この第一の光源保持部材１ａを装着できる光源ユニットのシャーシ２ａの構成を示した外観斜視図である。
【図２】第一の光源保持部材に光源を保持させる前の状態と、光源を保持している状態とをまとめて示した図であり、（ａ）は第一の光源保持部材と光源の一部を抜き出して示した斜視図、（ｂ）は（ａ）のＡ−Ａ線断面図である。
【図３】第一の光源保持部材と光源保持バンドとを用いてシャーシに光源を配置した状態を示した外観斜視図である。
【図４】第二の光源保持部材の全体構成を示した外観斜視図である。
【図５】第二の光源保持部材に光源を保持させる前の状態と、光源保持バンド３を用いて光源が第二の光源保持部材に保持される状態とをまとめて示した図であり、（ａ）は斜視図、（ｂ）は（ａ）のＢ−Ｂ線断面図である。
【図６】本発明の第三実施形態にかかる光源保持部材の構成を模式的に示した外観斜視図である。
【図７】第三の光源保持部材に光源を保持させる前の状態と、光源保持バンドを用いて第三の光源保持部材により光源が保持される状態とをまとめて示した図であり、（ａ）は第三の光源保持部材と光源の一部を抜き出して示した斜視図、（ｂ）は（ａ）のＣ−Ｃ線断面図である。
【図８】本発明の第四実施形態にかかる光源保持部材の構成を模式的に示した外観斜視図である。
【図９】第四の光源保持部材１ｄに光源５１を保持させる前の状態と、光源保持バンド３を用いて第四の光源保持部材１ｄに光源５１が保持される状態とをまとめて示した図であり、（ａ）は第四の光源保持部材と光源の一部を抜き出して示した斜視図、（ｂ）は（ａ）のＤ−Ｄ線断面図である。
【図１０】本発明の第五実施形態にかかる光源保持部材の構成を模式的に示した外観斜視図である。
【図１１】第五の光源保持部材に光源を保持させる前の状態と、光源保持バンドを用いて第五の光源保持部材に光源が保持される状態とをまとめて示した図であり、（ａ）は第五の光源保持部材と光源の一部を抜き出して示した斜視図、（ｂ）は（ａ）のＥ−Ｅ線断面図である。
【図１２】本発明の実施形態にかかる表示装置用の光源ユニットの要部の構成を、模式的に示した分解斜視図である。
【図１３】本発明の他の実施形態にかかる表示装置用の光源ユニットの要部の構成を、模式的に示した分解斜視図である。
【図１４】本発明の実施形態にかかる光源保持部材の装着位置の自由度を向上させることができるシャーシの構成の第一の例を模式的に示した外観斜視図である。
【図１５】本発明の実施形態にかかる光源保持部材の装着位置の自由度を向上させることができるシャーシの構成の第二の例を模式的に示した外観斜視図である。
【図１６】光源保持部材の高さ方向位置の自由度を向上させることができるシャーシと、光源保持部材と、この光源保持部材をシャーシに装着する際に使用するスペーサとを模式的に示した分解斜視図である。
【図１７】本発明の実施形態にかかる表示装置６の構成を模式的に示した分解斜視図である。
【図１８】本発明の実施形態にかかる表示装置を備えるテレビ受信機７の構成を、模式的に示した分解斜視図である。
【図１９】光源として複数の蛍光管が組み込まれた表示装置用の光源ユニットの構成の従来例を模式的に示した分解斜視図であり、光源の保持に光源クリップを用いる例を示す。
【符号の説明】
【０１２７】
１ａ  第一の光源保持部材
１１  係合孔
３  光源保持バンド
３１  係止片
５１  光源
【図１】
2008084727.tif 000003
【図２】
2008084727.tif 000004
【図３】
2008084727.tif 000005
【図４】
2008084727.tif 000006
【図５】
2008084727.tif 000007
【図６】
2008084727.tif 000008
【図７】
2008084727.tif 000009
【図８】
2008084727.tif 000010
【図９】
2008084727.tif 000011
【図１０】
2008084727.tif 000012
【図１１】
2008084727.tif 000013
【図１２】
2008084727.tif 000014
【図１３】
2008084727.tif 000015
【図１４】
2008084727.tif 000016
【図１５】
2008084727.tif 000017
【図１６】
2008084727.tif 000018
【図１７】
2008084727.tif 000019
【図１８】
2008084727.tif 000020
【図１９】
2008084727.tif 000021